(57)【特許請求の範囲】
【請求項１】
上端部を支点にして揺動自在に支持され、上面に複数枚の用紙を積層して収容可能にされた押圧板と、
前記押圧板の下端部の上方で、前記押圧板の揺動軸と平行な軸周りに回転自在に支持された給紙ローラと、
前記押圧板の下端部を、前記給紙ローラと当接する上限位置に向けて付勢する第１の弾性部材と、
前記押圧板の上方で、前記押圧板の揺動軸と平行な軸周りに解除位置からロック位置まで回転する間に前記押圧板を前記給紙ローラから所定距離だけ離間する下限位置へ向けて変位させ、前記押圧板との係合によって前記ロック位置に停止するストッパと、
前記押圧板の上方で前記押圧板の揺動軸と平行な軸周りに回転自在に配置され、停止位置から動作位置まで回転する間に、前記ストッパを前記解除位置から前記ロック位置まで回転させる操作部材と、
駆動軸の回転を前記給紙ローラに選択的に伝達する伝達部材であって、前記給紙ローラの回転時に前記ストッパと前記押圧板との係合を解除する伝達部材と、
を備え、
前記伝達部材は、
前記駆動軸に取り付けられた駆動ギア及び前記給紙ローラに取り付けられた給紙ローラギアに噛合する中間ギアであって半径方向に突出したリブを備えた中間ギアと、
退避位置と動作位置との間に揺動自在に軸支され、前記退避位置で前記中間ギアの回転によって前記リブが当接する第１の端部と、前記動作位置で前記ストッパを前記解除位置へ回転させる第２の端部と、を有するレバーと、
前記レバーを退避位置に向けて付勢する第２の弾性部材と、
を備え、
前記レバーは、前記中間ギアの回転によって前記リブが前記第１の端部に当接した際に前記退避位置から前記動作位置へ揺動し、
前記リブは、前記中間ギアの半径方向における前記第１の端部との当接位置から前記中間ギアの軸心までの距離が、前記中間ギアの回転方向に沿って徐々に短くなる形状を呈する給紙装置。
【請求項２】
前記押圧板は、前記下限位置で前記ストッパが係合する凹部を備えた請求項１に記載の給紙装置。
【請求項３】
前記操作部材は、前記ストッパと同期して回転する請求項１又は２に記載の給紙装置。
【請求項４】
前記中間ギアは、前記駆動ギアに選択的に噛合する第１の欠け歯ギアと、前記給紙ローラギアに選択的に噛合する第２の欠け歯ギアと、を同軸上に一体的に固定して形成され、
前記第１の欠け歯ギア及び前記第２の欠け歯ギアが前記駆動ギア及び前記給紙ローラギアにそれぞれ噛合しない位置で前記中間ギアの回転を選択的に規制する回転規制部材と、
前記駆動ギアから前記第１の欠け歯部に伝達される回転方向に向けて前記中間ギアを付勢する第３の弾性部材と、
をさらに備えた請求項１乃至３の何れかに記載の給紙装置。
【発明の詳細な説明】
【技術分野】
【０００１】
この発明は、用紙に画像を形成する画像形成装置等の用紙処理装置に装着されて用紙を１枚ずつ繰り出す給紙装置に関する。
【背景技術】
【０００２】
画像形成装置等の用紙処理装置には、用紙搬送路が処理部を経由して形成されており、用紙搬送路に用紙を１枚ずつ繰り出す給紙装置が装着されている。用紙は、用紙搬送路を搬送される間に処理部で所定の処理を施される。
【０００３】
給紙装置には、押圧板、給紙ローラ及び弾性部材を備え、用紙処理装置の背面に装着されるものがある。押圧板は、用紙の繰り出し方向の上流側を上方にして傾斜した状態で上端側を支点に揺動自在に支持され、上面に複数枚の用紙を積層して収容できる。押圧板の下端部は、用紙搬送路の上流側の端部に連結している。給紙ローラは、押圧板の下端側で回転自在に支持されている。弾性部材は、弾性力によって押圧板の下端側を給紙ローラに向けて付勢する。
【０００４】
押圧板に収容された用紙は、繰り出し方向の下流側の端部を押圧板の上面と給紙ローラとの間に挟持され、給紙ローラの回転によって用紙搬送路内に繰り出される。
【０００５】
押圧板に用紙を収容させる際には、押圧板の上面と給紙ローラとの間に用紙を挿入するための空間を設けるべく、押圧板の上面が給紙ローラから離間するように押圧板を弾性部材の弾性力に抗して揺動させておく必要がある。
【０００６】
給紙装置には、押圧板の上面が給紙ローラから離間した位置で押圧板を保持するストッパが備えられている。押圧板の上面を給紙ローラから離間する方向に揺動させて押圧板の上面と給紙ローラとの間隔が所定の長さに達した時に、ストッパが押圧板の揺動を禁止する。作業者は、用紙を押圧板に収容させる際に、押圧板の上面が給紙ローラから離間した状態を手動で保持する必要がない。
【０００７】
ストッパによって押圧板の揺動が禁止されている状態では、押圧板に収容されている用紙の上面に給紙ローラが当接せず、給紙ローラを回転させても用紙が繰り出されない。このため、押圧板に用紙を収容させた後には、用紙処理装置における用紙処理動作が開始時される前に、ストッパによる押圧板の揺動の禁止を解除しておく必要がある。
【０００８】
そこで、従来の給紙装置では、押圧板、押圧板操作部材、ストッパ、ストッパ操作部材を備えたものがある(例えば、特許文献1参照。)。押圧板は、給紙ローラに当接する上限位置と給紙ローラから離間した下限位置との間に揺動自在に支持されている。押圧板操作部材は、動作位置と非動作位置との間に揺動自在に枢支され、非動作位置から動作位置への揺動操作によって押圧板を上限位置から下限位置に移動させる。ストッパは、押圧板が上限位置から下限位置へ移動した際に解除位置からロック位置へ移動して押圧板の上限位置への移動を規制する。ストッパ操作部材は、給紙ローラの回転に伴ってストッパをロック位置から解除位置に移動させる。
【０００９】
用紙処理装置における用紙処理動作の開始時に給紙ローラが回転を開始すると、ストッパ操作部材によってストッパが解除位置に移動し、押圧板の下限位置から上限位置への移動は規制されなくなる。作業者がストッパをロック位置から解除位置へ移動させる操作を怠ったまま用紙処理動作を開始させても、給紙装置から確実に用紙を繰り出すことができる。
【特許文献１】特開２００１−１３９１５９号公報
【発明の開示】
【発明が解決しようとする課題】
【００１０】
しかしながら、特許文献１に記載された構成では、ストッパによって押圧板を選択的に下限位置に固定することができなくなる問題がある。
【００１１】
即ち、特許文献１のストッパは、押圧板操作部材の操作によって押圧板が上限位置から下限位置へ向かって揺動した際に、自重によって解除位置からロック位置へ揺動する。ストッパのみによって押圧板の上限位置へ向かう移動を規制させるためには、ストッパをロック位置で押圧板の上面に正確に直交させる必要がある。このため、ストッパの寸法精度や取付位置の精度を厳格に規定しなければならないが、製造時に生じる誤差や経時的な変形によってストッパがロック位置で押圧板に対する適正な位置から変位し、押圧板を下限位置に固定できなくなる可能性がある。
【００１２】
また、動作位置に移動した押圧板操作部材により、補助的に押圧板を下限位置に保持させることも考えられる。しかし、押圧板操作部材はストッパと連動しておらず、給紙ローラの回転時にストッパがロック位置から解除位置に移動しても押圧板が押圧板操作部材によって下限位置に保持されたままになる可能性がある。
【００１３】
この発明の目的は、操作部材の回転操作の伝達、及び給紙ローラの回転の伝達により、押圧板の揺動を選択的に規制するストッパを移動させるようにし、押圧板を給紙状況に応じた所定の位置に確実に位置させることができる給紙装置を提供することにある。
【課題を解決するための手段】
【００１４】
この発明の給紙装置は、押圧板、給紙ローラ、第１の弾性部材、ストッパ、操作部材及び伝達部材を備えている。押圧板は、上端部を支点に揺動自在に支持され、上面に複数枚の用紙を積層して収容可能にされている。給紙ローラは、押圧板の下端部の上方で、押圧板の揺動軸と平行な軸周りに回転自在に支持されている。第１の弾性部材は、押圧板の下端部を、給紙ローラと当接する上限位置に向けて付勢する。ストッパは、押圧板の上方で、押圧板の揺動軸と平行な軸周りに解除位置からロック位置まで回転する間に押圧板を給紙ローラから所定距離だけ離間する下限位置に向けて変位させ、押圧板との係合によってロック位置に停止する。操作部材は、押圧板の上方で押圧板の揺動軸と平行な軸周りに回転自在に配置され、停止位置から動作位置まで回転する間に、ストッパを解除位置からロック位置まで回転させる。伝達部材は、駆動軸の回転を給紙ローラに選択的に伝達し、給紙ローラの回転時にストッパと押圧板との係合を解除する。
伝達部材は、レバー及び第２の弾性部材を備えている。レバーは、駆動軸に取り付けられた駆動ギア及び給紙ローラに取り付けられた給紙ローラギアに噛合する中間ギアであって半径方向に突出したリブを備えた中間ギアと、退避位置と動作位置との間に揺動自在に軸支され、退避位置で中間ギアの回転によってリブが当接する第１の端部と、動作位置でストッパを解除位置へ回転させる第２の端部と、を有する。第２の弾性部材は、レバーを退避位置に向けて付勢する。
レバーは、中間ギアの回転によってリブが第１の端部に当接した際に退避位置から動作位置へ揺動する。レバーは、中間ギアの半径方向における第１の端部との当接位置から中間ギアの軸心までの距離が、中間ギアの回転方向に沿って徐々に短くなる形状を呈する。
【００１５】
この構成により、操作部材を停止位置から動作位置へ向けて回転させると、ストッパが解除位置からロック位置へ向かって回転し、押圧板が給紙ローラから所定距離だけ離間する下限位置へ向かって揺動する。ストッパがロック位置に達すると、下限位置にある押圧板に係合して停止する。したがって、操作部材を停止位置から動作位置まで回転させると、ストッパを介して押圧板が下限位置に固定され、押圧板と給紙ローラとの間に用紙を挿入するための所定の間隙が形成される。なお、押圧板が給紙ローラから離間する所定距離は、押圧板が収容可能な枚数の用紙の厚さに応じて設定される。
また、中間ギアが駆動軸の回転を給紙ローラに伝達する際には、リブがレバーの第１の端部に当接することで、レバーが退避位置から動作位置へ揺動し、レバーの第２の端部がストッパを解除位置へ回転させ、ストッパによる下限位置での押圧板の固定が解除される。この後、レバーは第２の弾性部材の弾性力によって動作位置から退避位置へ揺動する。このとき、中間ギアの半径方向におけるリブと第１の端部との当接位置から中間ギアの軸心までの距離は、中間ギアの回転方向に沿って徐々に短くなり、レバーはリブとの摩擦によって減速されて退避位置へ向かう。このため、退避位置でレバーの揺動を規制する部材とレバーとの当接時の衝撃が緩和される。押圧板が下限位置にない状態でも、給紙ローラの回転によって用紙を繰り出す度に、レバーは退避位置から動作位置へ揺動した後に動作位置から退避位置へ揺動するが、退避位置に達したレバーが衝撃音を発生することを防止できる。
【００１６】
伝達部材は、駆動軸の回転を給紙ローラに伝達する際に、ストッパと押圧板との係合を解除する。給紙ローラを回転させて押圧板上の用紙を繰り出す際には、ストッパは押圧板を下限位置に固定しなくなり、押圧板は第１の弾性部材の弾性力によって上限位置へ向かって揺動し、用紙を挟んで給紙ローラに当接する。
【００１７】
操作部材の停止位置から動作位置への回転操作には、ストッパを介して第１の弾性部材の弾性力が反力として作用する。第１の弾性部材の弾性力に抗して操作部材を回転させることで、ストッパが解除位置からロック位置へ移動する。ストッパは、ロック位置で下端位置にある押圧板との係合によって保持され、ロック位置に確実に停止する。ストッパは、給紙ローラの回転時に伝達部材によって自動的に押圧板との係合を解除され、第１の弾性部材の弾性力によって解除位置へ移動する。
【００１８】
押圧板に下限位置でストッパが係合する凹部を備えることで、ストッパをロック位置に確実に停止させることができる。
【００１９】
操作部材をストッパと同期して回転させることで、操作部材の回転を確実にストッパに伝達することができ、ストッパを操作部材に連動させることができる。
【００２２】
中間ギアは、駆動ギアに選択的に噛合する第１の欠け歯ギアと、給紙ローラギアに選択的に噛合する第２の欠け歯ギアと、を同軸上に一体的に形成したものであってもよい。この場合に、回転規制部材及び第３の弾性部材をさらに備えることができる。回転規制部材は、第１の欠け歯ギア及び第２の欠け歯ギアが駆動ギア及び給紙ローラギアにそれぞれ噛合しない位置で中間ギアの回転を選択的に規制するものとする。第３の弾性部材は、駆動ギアから第１の欠け歯ギアに伝達される回転方向に向けて中間ギアを付勢するものとする。
【００２３】
中間ギアが１回転する毎に回転規制部材を動作させることで、第１の欠け歯ギア及び第２の欠け歯ギアを駆動ギア及び給紙ローラギアにそれぞれ選択的に噛合させ、駆動軸の回転を給紙ローラに１回転ずつ間歇的に伝達することができる。
【発明を実施するための最良の形態】
【００２４】
以下、この発明の最良の実施形態に係る給紙装置を、図面を参照しつつ詳細に説明する。
【００２５】
図１は、この発明の実施形態に係る給紙装置を適用した用紙処理装置としてのファクシミリ装置の外観図である。ファクシミリ装置１００は、公衆電話回線を介して、他のファクシミリ装置との間で画像情報を送受信するとともに、他の電話機との間で音声信号を送受信する。ファクシミリ装置１００の内部には、他のファクシミリ装置から受信した画像情報を用紙に記録する用紙処理部としての画像形成部が備えられている。
【００２６】
ファクシミリ装置１００は、操作部１０１及び受話器１０２とともに給紙装置１を備えている。操作部１０１は、ファクシミリ装置１００の上面の前面側に配置され、キースイッチ１１１及びディスプレイ１１２を備えている。キースイッチ１１１は、通信先又は通話先の電話番号の入力操作等を受け付ける。ディスプレイ１１２は、ファクシミリ装置１００の動作状態等を表示する。受話器１０２は、他の電話機との間で送受信される音声信号の入出力に使用される。
【００２７】
給紙装置１は、用紙トレイ１１を後傾させた状態でファクシミリ装置１００の背面に装着される。給紙装置１は、用紙トレイ１１に収容した用紙を１枚ずつファクシミリ装置１００内の用紙搬送路へ向けて繰り出す。ファクシミリ装置１００の内部には、背面側から画像形成部を経由して上面に開放した用紙排出口１０３に至る用紙搬送路が形成されている。給紙装置１から繰り出された用紙は、画像形成部で画像情報が記録された後に、用紙排出口１０３からファクシミリ装置１００の上面に排出される。
【００２８】
図２は、この発明の実施形態に係る給紙装置の外観図である。図３及び図４は、操作部材が動作位置にある状態の同給紙装置の側面図である。図５は、同給紙装置の伝達部材の図４とは反対側の側面図である。図２では、用紙トレイ１１を省略している。図３では、伝達部材を省略している。図４では、給紙ローラを省略している。
【００２９】
給紙装置１は、押圧板２、給紙ローラ３、コイルスプリング４、ストッパ５、操作部材６、伝達部材７、ガイド板８を備えている。
【００３０】
押圧板２は、側壁１２，１３で上端部に形成された孔部２１を支点にして上限位置から下限位置までの間に揺動自在に支持され、上面に所定枚数の用紙を積層して収容可能にされている。押圧板２は、上限位置で給紙ローラ３に上面を当接させ、下限位置で給紙ローラ３から所定の間隙を設けて離間する。押圧板２の上面における側壁１２，１３の近傍には、凹部２２が形成されている。
【００３１】
給紙ローラ３は、押圧板２の下端部の上方で、押圧板２の揺動軸と平行な軸周りに回転自在に支持されている。給紙ローラ３は、押圧板２の上面に載置された用紙を１枚ずつガイド板８の上面に沿って繰り出す。ガイド板８の上面には、用紙の多重送りを防止する捌き部材８１が貼付されている。
【００３２】
コイルスプリング４は、この発明の第１の弾性部材であり、押圧板２の下端部を上限位置に向けて矢印Ａ方向に付勢する。なお、コイルスプリング４は、押圧板２と背面板１４との間に配置されており、図２には現れない。
【００３３】
ストッパ５は、押圧板２の上方で、側壁１２，１３により、押圧板２の揺動軸と平行な軸周りに解除位置からロック位置までの間に回転自在に支持されている。ストッパ５は、側壁１２，１３の外側に露出したギア部５１と、側壁１２，１３の内側で押圧板２の上面に当接するストッパ片５２と、を備えている。ストッパ５は、解除位置からロック位置まで回転する間に押圧板２を上限位置から下限位置まで変位させ、押圧板２の凹部２２との係合によってロック位置に停止する。図２では、側壁１２側のストッパ５は省略している。ストッパ５は、側壁１２，１３の一方のみに設けることもできる。
【００３４】
操作部材６は、押圧板２の上方で、側壁１２，１３により、押圧板２の揺動軸と平行な軸周りに停止位置から動作位置までの間に回転自在に支持されている。操作部材６は、側壁１２，１３の外側でギア部５１に噛合するギア部６１を備えている。操作部材６は、停止位置から動作位置まで回転する間に、ストッパ５を解除位置からロック位置まで回転させる。ギア部５１とギア部６１との噛合により、操作部材６の回転は、ストッパ５に同期して伝達される。なお、操作部材６は、押圧板２の上方で、用紙の繰り出し方向Ｘに直交するＹ軸に沿って押圧板２の全幅を跨いで配置されており、押圧板２の上面に近接する停止位置で、押圧板２に載置された用紙が前面側に傾くことを防止する。
【００３５】
図４及び図５に示すように、伝達部材７は、中間ギア７１、レバー７２、スプリング７３、スプリング７４及びソレノイド７５を含む。
【００３６】
中間ギア７１は、駆動軸９に取り付けられた駆動ギア９１に選択的に噛合する第１の欠け歯ギア７１１と、給紙ローラ３に取り付けられた給紙ローラギア３１に選択的に噛合する第２の欠け歯ギア７１２と、を同軸上に一体的に形成し、半径方向に突出したリブ７１３を備える。中間ギア７１は、駆動軸９から伝達される回転力によって矢印Ｃ方向に回転する。なお、中間ギア７１に代えてワンウェイクラッチを用いることもできるが、構成の複雑化による装置の大型化を招く可能性が高い。
【００３７】
レバー７２は、略Ｌ字形形状を呈し、中間部が側壁１２，１３で退避位置と動作位置との間に揺動自在に軸支され、退避位置で中間ギア７１の回転によってリブ７１３が当接する第１の端部７２１と、動作位置でストッパ５を解除位置へ回転させる第２の端部７２２と、を有する。レバー７２は、中間ギア７１の回転によってリブ７１３が第１の端部７２１に当接した際に退避位置から動作位置へ向けて矢印Ｂ′方向に揺動する。
【００３８】
スプリング７３は、この発明の第２の弾性部材であり、レバー７２を退避位置へ向けて矢印Ｂ方向に付勢する。また、スプリング７４は、この発明の第３の弾性部材であり、中間ギア７１を駆動ギア９１から第１の欠け歯部７１１に伝達される回転方向に向けて矢印Ｃ方向に付勢する。
【００３９】
ソレノイド７５は、この発明の回転規制部材であり、中間ギア７１の段部７１４に選択的に係合するアーマチュア７５１を備えている。ソレノイド７５は、駆動時にアーマチュア７５１を段部７１４に係合しない位置に退避させる。ソレノイド７５の駆動状態を制御することで、第１の欠け歯ギア７１１及び第２の欠け歯ギア７１２が駆動ギア９１及び給紙ローラギア３１にそれぞれ噛合しない位置で中間ギア７１の回転を選択的に規制する。なお、この発明の回転規制部材として、ソレノイド７５に代えて、モータを駆動源とする機構を備えることもできる。
【００４０】
図６及び図７は、操作部材が停止位置にある状態の上記給紙装置の側面図である。図６では給紙ローラを省略しており、図７では伝達部材を省略している。操作部材６が停止位置にある時には、ストッパ５のストッパ片５２は解除位置にあり、押圧板２を押圧しない。このため、押圧板２は、スプリング４の弾性力によって上限位置へ向かって矢印Ａ方向に揺動することができ、上面に載置された用紙を挟んで給紙ローラ３に当接する。
【００４１】
操作部材６を図６及び図７に示す停止位置から図３及び図４に示す動作位置へ向けて矢印Ｄ方向に回転させると、ギア部５１とギア部６１との噛合によってストッパ５が解除位置からロック位置へ向けて矢印Ｅ方向に回転する。このとき、ストッパ片５２が、スプリング４の弾性力に抗して、押圧板２を上限位置から下限位置へ向けて矢印Ａ′方向に揺動させる。操作部材６が図３及び図４に示す動作位置まで回転すると、ストッパ５はロック位置に達し、ストッパ片５２が凹部２２に係合する。
【００４２】
操作部材６の停止位置から動作位置への回転操作には、途中からストッパ５を介してコイルスプリング４の弾性力が反力として作用する。操作部材６をコイルスプリング４の弾性力よりも大きい力で回転させることで、ストッパ５を解除位置からロック位置へ操作部材６の回転に同期して確実に移動させることができる。ストッパ５がロック位置に達すると、ストッパ片５２と押圧板２の凹部２２との係合により、ストッパ５をロック位置に確実に停止させ、押圧板２を下限位置に確実に固定することができる。
【００４３】
図８は、給紙前の状態における給紙装置の側面図である。図９は、同給紙装置の伝達部材の図８とは反対側の側面図である。用紙を給紙していない時には、非駆動状態のソレノイド７５のアーマチュア７５１が段部７１４に係合し、中間ギア７１の第１の欠け歯ギア７１１及び第２の欠け歯ギア７１２が駆動ギア９１及び給紙ローラギア３１のそれぞれに噛合していない状態に保持される。
【００４４】
操作部材６を動作位置まで回転させて押圧板２の上面に用紙を収容させた後、給紙動作が指示されると、図示しないモータの回転によって駆動軸９が回転し、ソレノイド７５が駆動される。ソレノイド７５の駆動によってアーマチュア７５１が退避し、段部７１４に係合しなくなると、スプリング７４の弾性力によって中間ギア７１が矢印Ｃ方向に回転する。第１の欠け歯ギア７１１の駆動ギア９１に噛合した後、駆動軸９の回転が中間ギア７１に伝達され、中間ギア７１は矢印Ｃ方向の回転を継続する。これによって、図４に示すように、リブ７１３がアーム７２の第１の端部７２１に当接し、アーム７２はスプリング７３の弾性力に抗して矢印Ｂ′方向に揺動する。
【００４５】
アーム７２の矢印Ｂ′方向への揺動によって第２の端部７２２がストッパ５の突起５３に当接し、ストッパ５を解除位置へ向けて矢印Ｅ′方向に回転させる。ストッパ５の矢印Ｅ′方向への回転によってストッパ片５２が凹部２２に係合しなくなり、押圧板２がスプリング４の弾性力によって上限位置へ向かって矢印Ａ方向に揺動する。
【００４６】
このとき、第２の欠け歯ギア７１２が給紙ローラギア３１に噛合して給紙ローラ３が回転を開始し、押圧板２に載置された用紙が繰り出される。
【００４７】
なお、ソレノイド７５の駆動は、中間ギア７１が矢印Ｃ方向に回転を開始した直後に停止される。給紙ローラ３が１回転したときにアーマチュア７５１が段部７１４に係合し、第１の欠け歯ギア７１１が駆動ギア９１に噛合しない回転位置で中間ギア７１の回転が停止する。同時に、給紙ローラ３の回転も停止する。
【００４８】
以上のように、給紙ローラ３の回転が開始される直前に、駆動軸９の回転が中間ギア７１を介してレバー７２に伝達される。ストッパ５による押圧部材２の下限位置での固定が解消され、押圧板２に収容されている用紙を給紙ローラ３によって確実に繰り出すことができる。
【００４９】
中間ギア７１が１回転する毎にソレノイド７５を駆動することで、第１の欠け歯ギア７１１及び第２の欠け歯ギア７１２を駆動ギア９１及び給紙ローラギア３１にそれぞれ選択的に噛合させ、駆動軸９の回転を給紙ローラ３に１回転ずつ間歇的に伝達することができる。
【００５０】
図４において、押圧板２が上限位置に向けて揺動した後、レバー７２はスプリング７３の弾性力によって動作位置から退避位置へ揺動する。このとき、第１の端部７２１は、リブ７１３に連続して形成された接触部７１３Ａに接触する。中間ギア７１の半径方向について、接触部７１３Ａを含むリブ７１３と第１の端部７２１との当接位置から中間ギア７１の軸心までの距離は、中間ギア７１の矢印Ｃ方向の回転方向に沿って徐々に短くなる。レバー７２は接触部７１３Ａとの摩擦によって減速されて退避位置へ向かう。このため、退避位置でレバー７２の揺動を規制する部材とレバー７２との当接時の衝撃が緩和される。
【００５１】
押圧板２が下限位置にない状態でも、給紙ローラ３の回転によって用紙を繰り出す度に、レバー７２は退避位置から動作位置へ揺動した後に動作位置から退避位置へ揺動するが、退避位置に達したレバー７２が衝撃音を発生することを防止できる。なお、接触部７１３Ａは平面で構成したが、円弧面で構成することもできる。
【００５２】
また、給紙ローラ３が１回転した後には、第２の欠け歯ギア７１２が給紙ローラギア３１に噛合しない回転位置で中間ギア７１の回転が停止するため、給紙ローラ３は単独で自由に回転可能である。このため、給紙ローラ３の清掃作業時に、押圧板２を下限位置に停止させた状態で、作業者が押圧板２の上面と給紙ローラ３との間に手指を差し入れ、給紙ローラ３を回転させても、ストッパ５がロック位置から解除位置へ移動することがない。これによって、給紙ローラ３の清掃作業等を容易に行うことができる。
【００５３】
給紙ローラ３に回転力が供給されていない状態で、給紙ローラ３を自由に回転できるようにするために、給紙ローラ３と中間ギア７１との間にクラッチを介在させると、装置の大型化やコストの上昇を招く。欠け歯ギア７１２を備えた中間ギア７１を用いることで、装置の小型化及びコストの低廉化を実現できる。
【００５４】
図１０は、図９の要部の拡大図であり、上記の給紙装置における第２の欠け歯ギア及び給紙ローラギアの側面図である。第２の欠け歯ギア７１２は、中間ギア７１の矢印Ｃ方向の回転によって最初に給紙ローラギア３１に噛合する歯７１２Ａの歯高を他の歯の１／２程度にしている。これによって、第２の欠け歯ギア７１２を給紙ローラギア３１に円滑に噛合させることができ、給紙ローラ３の回転開始時に衝撃音を発生することを防止できる。
【００５５】
なお、第２の欠け歯ギア７１２を含む中間ギア７１は樹脂を素材としており、第２の欠け歯ギア７１２の内側には歯７１２Ａから矢印Ｃ方向の上流側に向かって円弧状のスリット７１２Ｂが形成されている。歯７１２Ａは給紙ローラギア３１に噛合する際に、第２の欠け歯ギア７１２の中心へ向かって弾性変形することができる。これによっても、第２の欠け歯ギア７１２を給紙ローラギア３１に円滑に噛合させることができる。
【００５６】
なお、第１の欠け歯ギア７１１も、中間ギア７１の矢印Ｃ方向の回転によって最初に駆動ギア９１に噛合する歯の歯高を他の歯の１／２程度にすることで、第１の欠け歯ギア７１１を駆動ギア９１に円滑に噛合させるようにしてもよい。また、第１の欠け歯ギア７１１にもスリット７１２Ｂと同様のスリットを形成してもよい。
【００５７】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００５８】
【図１】の発明の実施形態に係る給紙装置を適用した用紙処理装置としてのファクシミリ装置の外観図である。
【図２】この発明の実施形態に係る給紙装置の外観図である。
【図３】操作部材が動作位置にある状態の同給紙装置の伝達部材を省略した側面図である。
【図４】操作部材が動作位置にある状態の同給紙装置の給紙ローラを省略した側面図である。
【図５】同給紙装置の伝達部材の図４とは反対側の側面図である。
【図６】操作部材が停止位置にある状態の同給紙装置の給紙ローラを省略した側面図である。
【図７】操作部材が停止位置にある状態の同給紙装置の伝達部材を省略した側面図である。
【図８】給紙前の状態における同給紙装置の側面図である。
【図９】同給紙装置の伝達部材の図８とは反対側の側面図である。
【図１０】同給紙装置における第２の欠け歯ギア及び給紙ローラギアの側面図である。
【符号の説明】
【００５９】
１  給紙装置
２  押圧板
３  給紙ローラ
４  コイルスプリング（第１の弾性部材）
５  ストッパ
６  操作部材
７  伝達部材
９  駆動軸
７１  中間ギア
７２  レバー
７３  スプリング（第２の弾性部材）
７４  スプリング（第３の弾性部材）
７５  ソレノイド（回転規制部材）
１００−ファクシミリ装置
【図１】
0005014037.tif 000002
【図２】
0005014037.tif 000003
【図３】
0005014037.tif 000004
【図４】
0005014037.tif 000005
【図５】
0005014037.tif 000006
【図６】
0005014037.tif 000007
【図７】
0005014037.tif 000008
【図８】
0005014037.tif 000009
【図９】
0005014037.tif 000010
【図１０】
0005014037.tif 000011